(57)【特許請求の範囲】
【請求項１】
放電ランプと、複数のセグメントを有し回転することにより該放電ランプからの光を時分割で各色成分に分光するカラーホイールを備え、該カラーホイールの回転角を検出して、該回転角に応じた各セグメント毎に、上記放電ランプに供給する電力が制御されるプロジェクタ装置に用いられる高圧放電ランプ点灯装置であって、
上記高圧放電ランプ点灯装置は、上記放電ランプへの供給電力を検出する電力検出手段と、制御手段とを備え、
上記制御手段は、上記電力検出手段により検出されたランプへの供給電力をサンプリングして、制御手段に取り込むサンプリング手段と、
該サンプリング手段によりサンプリングされた供給電力を保持する記憶手段と、
上記記憶手段に保持された供給電力から、所定の期間における平均電力を算出する平均電力算出手段と、
上記算出された平均電力が所望の基準電力値になるように上記放電ランプに供給される電力をフィードバック制御する電力制御手段とを備え、
上記サンプリング周期をＴｓ、上記カラーホイールの全セグメント数をｃ、上記カラーホイールの全てのセグメントが走査される周期をＴｃとしたとき、Ｔｓ＞Ｔｃ／ｃかつ、Ｔｓ≠ｎ×Ｔｃ（ｎは整数）になるように、上記サンプリング周期を設定する
ことを特徴とする高圧放電ランプ点灯装置。
【請求項２】
上記サンプリング周期Ｔｓは、Ｔｓ≦６０秒となるように設定される
ことを特徴とする請求項１に記載の高圧放電ランプ点灯装置。
【発明の詳細な説明】
【技術分野】
【０００１】
本発明はプロジェクタ装置に搭載される高圧放電ランプ点灯装置に関し、特に、本発明は、発光管内に０.１５ｍｇ／ｍｍ３以上の水銀が封入され、点灯時の水銀蒸気圧が高い、例えば１１０気圧以上の交流点灯型の高圧放電ランプであって、投射型プロジェクタ装置やリアプロジェクションテレビなどの投射用光源として使用するに好適な高圧放電ランプとその点灯装置からなる高圧放電ランプ点灯装置に関するものである。
【背景技術】
【０００２】
投射型プロジェクタ装置は、矩形状のスクリーンに対して均一に、しかも十分な演色性を持って画像を照明させることが要求され、このため、光源としては水銀や金属ハロゲン化物を封入させたメタルハライドランプが使われている。また、最近は、より一層の小型化、点光源化が進められ、電極間距離も極めて小さいものが実用化されてきている。このような背景のもと、近時、メタルハライドランプに代わり、極めて高い水銀蒸気圧、例えば２０ＭＰａ（約１９７気圧）以上をもつ高圧放電ランプが使用されている。これは、水銀蒸気圧を高くすることで、アークの広がりを絞り込むとともに、一層の光出力の向上を図ったランプである。
【０００３】
上記ランプとしては、例えば、石英ガラスからなる発光管に一対の電極を２ｍｍ以下の間隔で対向配置し、この発光管に０．１５ｍｇ／ｍｍ３以上の水銀と、希ガスと１０−６μｍｏ／ｍｍ３〜１０−２μｍｏｌ／ｍｍ３の範囲でハロゲンを封入した超高圧放電ランプが使用さる。
この種の放電ランプおよびその点灯装置は、例えば特許文献１に開示されている。特許文献１に開示される高圧放電ランプは、定常電力点灯時の管内水銀蒸気圧が１５ＭＰａ〜３５ＭＰａで、発光管内に１０−６μｍｏｌ/ｍｍ３〜１０−２μｍｏｌ／ｍｍ３の範囲でハロゲン物質を封入したものであり、発光管内に一対の電極を設け、電極先端部の中心付近に突起部を設けることにより電極間に発生する放電アークの位置が電極先端の中央部や周辺部の間で安定せず、移動する所謂アークジャンプ現象の発生を抑制するようにしたものである。
そして、ＤＣ／ＤＣコンバータとＤＣ／ＡＣインバータと高圧発生装置から構成される点灯装置により、上記一対の電極間に交流電圧を印加して点灯させる。
【０００４】
一方、近年、プロジェクタは、プレゼンテーション用途だけでなく、映画鑑賞の用途にも提供されつつある。
しかしながら、単板のライトバルブとカラーホイールを組み合わせた投射装置は、投射された画像の色再現性が良くないことが従来より知られている。そして、この問題を解決する技術として、例えば、特許文献２が存在する。この文献には、カラーホイールで分けられるセグメントごとに光の強度を変調させてランプを点灯することが記載される。
【先行技術文献】
【特許文献】
【０００５】
【特許文献１】特開平２−１４８５６１号公報
【特許文献２】特表平８−５０５０３１号公報
【発明の概要】
【発明が解決しようとする課題】
【０００６】
プロジェクタ装置においては、上記のように、投射された画像の色再現性が良くするため、カラーホイールで分けられるセグメントごとに光の強度を変調させてランプを点灯することが行われる。すなわち、カラーホイールの回転と同期させて、カラーホイールの各セグメント毎にランプに供給する電力の大きさを変えて光の強度を変え、投射された画像の色再現性の向上を図っている。
一方、プロジェクタ装置の多くは、ランプを定格電力で点灯させるノーマルモードや電力を下げて使用するエコモード、スーパーエコモード等の点灯モードを切り替えて使用できるように構成されており、特許文献２に記載されるように、カラーホイールのセグメント毎に光の強度を変調させる場合であっても、これら点灯モードに応じて、ランプに供給される平均電力を制御することが必要である。
【０００７】
カラーホイールのセグメント毎にランプに供給される電力が変動するように構成されたプロジェクタ装置において、ランプに供給される電力の平均値をフィードバック制御するためには、例えば、カラーホイールの回転角度を検出し、カラーホイールの回転に同期させてセグメント毎のランプ電力を検出して、その平均値を求め、平均電力が所望の値になるようにフィードバック制御することが考えられる。
しかし、この方法では、セグメント毎にランプ電力をサンプリングして、平均電力を演算することが要求され高速度な演算が必要となる。
ここで、カラーホイールの全てのセグメントを走査するに要する時間（すなわちカラーホイールの全てのセグメントに対応した回転角だけカラーホイールが回転するに要する時間）をカラーホイールの走査時間（周期）と呼ぶとすると、カラーホイールの走査周期は、カラーホイールの回転数を一秒間に１２０回転とすると８．３ｍｓ程度である。したがって、カラーホイールのセグメント数を例えば４とすると、セグメント毎にランプ電力をサンプリングするためには、サンプリング周期は約８．３／４≒２ｍｓ以上となり、かなり高速な処理が必要となる。
このため、処理速度が速いプロセッサを使用することが要求され、装置のコストが高くなる。
【０００８】
本発明は、上記問題点を解決するものであって、本発明の目的は、カラーホイールのセグメントごとに光の強度を変調させるように構成されたプロジェクタ装置に用いられる高圧放電ランプ点灯装置において、処理速度が遅い比較的安価なプロセッサを用いて、ランプの供給される平均電力を所望の値に制御することができる高圧放電ランプ点灯装置を提供することである。
【課題を解決するための手段】
【０００９】
カラーホイールのセグメント毎のランプ電力を検出して、その平均値を求めてランプ電力を制御すれば、精度よく平均電力を制御することができるが、このためには、前記したように、処理速度の速いプロセッサが必要となる。
そこで、本発明者は、処理速度の比較的遅いプロセッサを使用して、カラーホイールの全セグメントについてランプに供給される電力を検出し、その平均値を求めることができる手法について検討した。その結果、ランプに供給される電力を、前記カラーホイールの走査周期とは異なったサンプリング周期でサンプリングし、少なくともカラーホイールのセグメント数以上のサンプリングデータを取得して、この平均値を求めることで、上記のようにセグメント毎のランプ電力を検出してその平均値を求める場合と、ほぼ同様な大きさの平均値を求めることができることがわかった。これは、カラーホイールの走査周期とサンプリング周期の値が異なっていることから、サンプリングする毎に（あるいは何回かのサンプリング毎に）、異なったセグメントにおけるランプ供給電力を検出することができるためである。
【００１０】
そこで、本願発明では、カラーホイールの回転周期とは同期させないが、各色の電力値が均等に検出でき、かつ、その平均値が制御周期毎に変動しないようなサンプリング周期を選定し、電力をサンプリングし、制御周期毎に平均電力を求めて平均電力を制御する。
また、放電ランプをフィードバック制御する場合、フィードバック制御周期が長すぎると、その間に電極間の距離が変わってしまいランプ電力が大きく変動する。したがって、フィードバック周期を電極間距離が変わる時間である６０秒以下にすることが望ましく、サンプリング周期も６０秒以下にする必要がある。
【００１１】
以上に基づき、本発明においては、次のようにして前記課題を解決する。
（１）放電ランプと、複数のセグメントを有し回転することにより該放電ランプからの光を時分割で各色成分に分光するカラーホイールを備え、該カラーホイールの回転角を検出して、該回転角に応じた各セグメント毎に、上記放電ランプに供給する電力が制御されるプロジェクタ装置に用いられる高圧放電ランプ点灯装置において、上記高圧放電ランプ点灯装置を、上記放電ランプへの供給電力を検出するための検出手段を有し上記放電ランプに電力を供給し点灯させる給電装置と、該給電装置を制御する給電装置制御部とから構成する。
上記給電装置制御部に、上記検出手段により検出されたランプへの供給電力をサンプリングして読み込むサンプリング手段と、該サンプリング手段によりサンプリングされた供給電力を保持する記憶部と、上記記憶部に保持された供給電力から、所定の期間における平均電力を算出する平均電力演算部と、上記算出された平均電力が所望の基準電力値になるように上記放電ランプに供給される電力をフィードバック制御する電力制御部とを設け、上記サンプリング周期をＴｓ、上記カラーホイールの全セグメント数をｃ、上記カラーホイールの全てのセグメントが走査される周期をＴｃとしたとき、Ｔｓ＞Ｔｃ／ｃかつ、Ｔｓ≠ｎ×Ｔｃ（ｎは整数）になるように、上記サンプリング周期を設定する。
（２）上記（１）において、上記サンプリング周期Ｔｓを、Ｔｓ≦６０秒となるように設定する。
【発明の効果】
【００１２】
本発明においては、以下の効果を得ることができる。
（１）サンプリング周期をＴｓ、上記カラーホイールの全セグメント数をｃ、上記カラーホイールの全てのセグメントが走査される周期をＴｃとしたとき、Ｔｓ＞Ｔｃ／ｃかつ、Ｔｓ≠ｎ×Ｔｃ（ｎは整数）になるように、上記サンプリング周期を設定しているので、サンプリングする毎に、あるいは何回かサンプリングする毎に、異なったセグメントにおけるランプ供給電力を検出することができる。このため、所定回数以上、サンプリングすることで、カラーホイールの全てのセグメントにおけるランプ電力の平均値に相当した値を得ることができる。
このため、比較的、処理速度の遅い処理装置を用いて、放電ランプに供給される電力の平均値を、各点灯モードに応じた基準電力に一致するように制御することができ、放電ランプを各点灯モードに応じた明るさで点灯させることができる。
（２）サンプリング周期を６０秒以下とし、放電ランプの電極間の距離が変わってランプの特性が大きく変動するより短い周期でフィードバック制御するようにしたので、放電ランプに供給される平均電力を安定に制御することができる。
【図面の簡単な説明】
【００１３】
【図１】本発明に係る放電ランプ給電装置を備えた、プロジェクタ装置の全体を模式的に示した図である。
【図２】本発明で用いられる高圧放電ランプの構成の一例を示す図である。
【図３】本発明の実施例の給電装置および給電装置制御部の構成を示す図である。
【図４】図３に示した給電装置制御部の本発明に係る部分を機能構成で示したブロック図である。
【図５】本実施例の処理部における処理を示したフローチャートである。
【図６】本発明の実施例の平均値の演算処理を示すフローチャートである。
【図７】カラーホイールの各セグメントにおけるランプに供給される電力の変動と、セグメント周期Ｔｃ、サンプリング周期Ｔｓ、フィードバック周期Ｔｆを示したタイムチャートである。
【発明を実施するための形態】
【００１４】
先ず、本発明の実施例の説明に使用するプロジェクタ装置の構成を、図１を用いて簡単に説明する。
なお、以下では、ＤＭＤ（Ｄｉｇｉｔａｌ  Ｍｉｃｒｏｍｉｒｒｏｒ  Ｄｅｖｉｃｅ）（登録商標）をＤＬＰ（Ｄｉｇｉｔａｌ  Ｌｉｇｈｔ  Ｐｒｏｃｅｓｓｉｎｇ）（登録商標）方式の投射装置で実施した例を示す。
周知ではあるがＤＭＤについて説明する。ＤＭＤは複数のミラー素子から構成され、そのミラー素子のサイズは微小であり、例えば２０ｍｍ×３５ｍｍのエリアであれば２３０万個配列されている。そして、入力信号に応じて各ミラー素子を個別に、照明光をプロジェクションレンズに入射させる方向、又は入射させない方向、の２つの方向の何れかに駆動することで、画像をスクリーン上に投影する。
【００１５】
プロジェクタ装置は、図１に示すように、高圧放電ランプ１０（以下ランプ１０ともいう）と、該ランプ１０からの光を各色成分に分光するカラーホイール７と、該カラーホイール７を回転駆動させる駆動モータ６と、該駆動モータ６を駆動制御し、また、上記ＤＭＤ３を駆動するプロジェクタ制御装置４０と、プロジェクタ制御装置４０からの信号を受けて給電装置２０を制御する給電装置制御部３０と、該給電装置制御部３０からの信号を受けて高圧放電ランプ１０に給電する給電装置２０とを備える。
プロジェクタ制御装置４０はカラーホイール７の回転位置をカラーホイール位置検出センサ７ａで検知しており、前記特許文献２に記載されるように、そのカラーホイール７の位置に合わせて、カラーホイールの各セグメント毎にランプ１０に供給する電力の大きさが制御される。
また、給電装置制御部３０は、後述するように、点灯モード信号に応じて給電装置２０を制御してランプ１０に供給される平均電力を制御する。
そのランプ１０からの光はカラーホイール７を通過後、ライトトンネル５によって導光され、インテグレータレンズ４を通過後に、プロジェクタ制御装置４０により制御されるＤＭＤ３で反射され、プロジェクションレンズ２によってスクリーン１に投影表示される。
【００１６】
ＤＬＰプロジェクタ装置で使用されているカラーホイール７は、その回転方向に例えば赤（Ｒ）、緑（Ｇ）、青（Ｂ）、無色透明（Ｗ）のセグメントが配列されてなる略円盤形状のものであり、駆動モータ６により回転軸を軸心として回転し、透過光を時分割で各色成分に分光する。ＤＬＰ方式のプロジェクタ装置では、このカラーホイール７のセグメントの配置によって、投影される画像の輝度や色再現性が決まるので、用途に合わせたカラーホイールが搭載されている。
【００１７】
本発明に使用されるランプの一例を図２に示す。
球状の発光部１１とその両端のそれぞれに連続して管軸方向外方に向けて伸びるロッド状の封止部１２ａ，１２ｂとよりなる発光管を備える。
発光管の内部には、一対の電極１３ａ，１３ｂが対向して配置されるとともに、放電媒体として例えば水銀が封入されている。水銀は、点灯時の発光管の内部空間における圧力が１１０気圧以上となるよう０．１５ｍｇ／ｍｍ3以上封入される。発光管の内部空間には、水銀の他、希ガスとハロゲンガスとが封入される。
各封止部１２ａ，１２ｂにはモリブデン箔が封止用金属１５ａ，１５ｂとして気密に埋設され、封止用金属１５ａ，１５ｂの先端側には電極１３ａ，１３ｂの軸部が電気的に接続され、封止用金属１５ａ，１５ｂの基端側には封止部１２ａ，１２ｂの外端面より外方に突出する給電用のリード棒１４ａ，１４ｂが電気的に接続される。
希ガスは、例えば、アルゴンガスが約１３ｋＰａ封入される。その機能は点灯始動性を改善することにある。ハロゲンは、沃素、臭素、塩素などが水銀あるいはその他の金属と化合物の形態で封入される。ハロゲンの封入量は、５×１０-５〜７×１0−３μｍｏｌ／ｍｍ３の範囲から選択される。ハロゲンの機能は、いわゆるハロゲンサイクルを利用した長寿命化であるが、本発明の放電ランプのように極めて小型できわめて高い点灯蒸気圧のものは、放電容器の失透防止という作用もある。ランプの数値例を示すと、例えば、発光部１１の最大外径１２ｍｍ、電極間距離１．５ｍｍ、定格電力３３０Ｗであり、おおよそ３５０Ｈｚで交流点灯される。点灯周波数がおおよそというのは、カラーホイールの回転数に同期をとって調整されるためである。
【００１８】
次に、図１に示すプロジェクタ装置における、給電装置２０および給電装置制御部３０（以下制御部３０という）の実施例を図３、図４に示す。
図３において、給電装置２０は、大きく分けて降圧チョッパ回路Ｕ１と、フルブリッジ回路Ｕ２と、スタータ回路Ｕ３から構成される。
降圧チョッパ回路Ｕ１は、直流電圧Ｖｄｃが供給される＋側電源端子に接続されたスイッチング素子ＱｘとリアクトルＬｘと、スイッチング素子ＱｘとリアクトルＬｘの接続点と−側電源端子間に接続されたダイオードＤｘと、リアクトルＬｘの出力側に接続された平滑コンデンサＣｘと、平滑コンデンサＣｘの−側端子とダイオードＤｘのアノード側の間に接続された電流検出用の抵抗Ｒｘから構成される。
上記スイッチング素子Ｑｘは、制御部３０が出力するゲート信号Ｇｘで駆動され、スイッチング素子Ｑｘを所定のデューティで駆動することにより、入力直流電圧Ｖｄｃをこのデューティに応じた電圧に降圧する。降圧チョッパ回路Ｕ１の出力側には、電圧検出用の抵抗の直列回路Ｖｘが設けられている。
フルブリッジ回路Ｕ２は、ブリッジ状に接続したスイッチング素子Ｑ１〜Ｑ４から構成され、これらのスイッチング素子Ｑ１〜Ｑ４はドライバ２１が出力するゲート信号Ｇ１〜Ｇ４により駆動され、対角に配置されたスイッチング素子Ｑ１、Ｑ４、スイッチング素子Ｑ２、Ｑ３を交互にオンにすることにより、スイッチング素子Ｑ１、Ｑ２の接続点と、スイッチング素子Ｑ３、Ｑ４の接続点間に矩形波状の交流電圧が発生する。
【００１９】
スタータ回路Ｕ３は、コイルＬｈ、コンデンサＣｈで構成されたものである。これはコイルＬｈ、コンデンサＣｈで構成した共振回路の共振周波数に相当した周波数の出力をブリッジ回路Ｕ２から出力することでその共振作用によりコンデンサＣｈに高い電圧を発生させることができる。
従って、スタータ回路Ｕ３は始動時のみ高い周波数で動作し、高電圧が放電ランプ１０の両端に印加され、ランプが点灯する。
上記回路において、ランプ定常時におけるフルブリッジ回路Ｕ２の駆動周波数を変更する場合は、フルブリッジ回路Ｕ２のスイッチング素子Ｑ１〜Ｑ４のスイッチング周期を調整することで達成でき、また、出力電力は降圧チョッパ回路Ｕ１のスイッチング素子Ｑｘの動作デューティを調整することで達成できる。
降圧チョッパ回路Ｕ１のスイッチング素子Ｑｘは、制御部３０が出力するゲート信号Ｇｘのデューティに応じてオン／オフし、ランプ１０に供給される電力が変化する。すなわち、電力アップならＱｘのデューティを変えて、その入力された電力調整信号値に合致する電力値になるようにゲート信号Ｇｘの制御を行う。
【００２０】
制御部３０は、上記抵抗Ｒｘから構成される電流検出回路、および、抵抗の直列回路Ｖｘから構成される電圧検出回路により検出される電流、電圧を、予め設定されたサンプリング周期Ｔｓでサンプリングするサンプリング手段３１と、サンプリング手段３１によりサンプリングされた電圧、電流から電力を演算し、その平均電力が点灯モードに応じた平均電力になるように制御するプロセッサから構成される処理部３２と、上記演算結果や各種のデータを記憶する記憶部３３と、処理部３２が出力する制御信号により、上記スイッチング素子Ｑｘやドライバ２１の駆動信号を出力する出力手段３４から構成される。
【００２１】
上記サンプリング手段３１におけるサンプリング周期Ｔｓは、前記カラーホィール７のセグメントが切り替わる時間、例えばセグメントがＲ、Ｇ、Ｂ、Ｗの場合、ＲからＧへ、ＧからＢへ、ＢからＷ、ＷからＲへ切り替わる時間より長く設定されており、前記したようにカラーホイール７のセグメント毎にランプ電力を検出することはできない。
すなわち、上記カラーホイールの全セグメント数をｃ（前記したように例えばセグメントはＲ、Ｇ、Ｂ、Ｗで、ｃ＝４）、上記カラーホイールの全てのセグメントが走査される周期をＴｃとすると、Ｔｓ＞Ｔｃ／ｃ（例えばＴｃ＝８．３ｍｓとするとＴｓ＞８．３／４≒２ｍｓ）になるように設定される。
このため、前記処理部３２に用いられるプロセッサも、このサンプリング周期でサンプリングされるデータを処理できればよく、高価な高速のプロセッサを使用する必要がない。また、本発明においては、上記サンプリング周期Ｔｓは、Ｔｓ≠ｎ×Ｔｃ（ｎは整数）になるように設定され、これにより、前記したように、サンプリングする毎に、あるいは何回かサンプリングする毎に、異なったセグメントにおけるランプ供給電力を検出することができる。
【００２２】
図４は、上記処理部３２における本発明に係る機能構成をブロック図で示したものである。
処理部３２は、サンプリング手段３１によりサンプリングされた電圧、電流を演算してランプ電力を求める電力演算部３２ａ、該電力演算部３２ａで演算したランプ電力から、所定期間における平均電力を求める平均電力演算部３２ｂ、外部から与えられる点灯モード信号に応じた基準電力（基準平均電力）を設定する基準電力設定部３２ｃ、基準電力設定部３２ｃから出力される基準電力値と平均電力演算部３２ｂで求めた平均電力とを比較する比較部３２ｄ、比較部３２ｄの比較結果に基づき、ランプに供給される電力を制御する電力制御部３２ｅから構成される。
プロジェクタ制御装置４０からは、カラーホイール７の回転位置信号に同期した画像同期信号、点灯電流信号、点灯モード信号が処理部３２に与えられる。
サンプリング手段３１には、カラーホイールの回転角度に対応した画像同期信号が入力され、サンプリング手段３１は、画像同期信号の周期（カラーホイールの走査周期Ｔｃ）とは異なる周期Ｔｓで検出手段２２により検出された電圧、電流をサンプリングする。
また、電力制御部３２ｅは、プロジェクタ制御装置４０から与えられる点灯電流信号に応じてランプ１０の電流を制御するとともに、上記比較部３２ｄの比較結果に基づき、降圧チョッパ回路Ｕ１のスイッチング素子Ｑｘのデューティを制御して、ランプの平均電力を制御する。
また、電力制御部３２ｅは、出力手段３４を介してドライバ２１を制御し、前記フルブリッジ回路Ｕ２の駆動周波数等を制御する。
基準電力設定部３２ｃは、点灯モード信号が入力されると、点灯モード信号に応じた基準電力（基準平均電力）を記憶部３３から読みだして、点灯モードに応じた基準電力を設定する。
【００２３】
図５は本実施例の処理部における処理を示したフローチャート、図６は平均値の演算処理を示すフローチャート、図７は、カラーホイールの各セグメント（Ｒ，Ｇ，Ｂ，Ｗ）におけるランプに供給される電力の変動と、セグメント周期Ｔｃ、サンプリング周期Ｔｓ、フィードバック周期Ｔｆを示したタイムチャートである。
ここでは、図７に示すように、カラーホイールの回転周期（Ｔｃ）を１５ｍｓとし、電力（電圧・電流）のサンプリング周期検出周期（Ｔｓ）を２０ｍｓ、フィードバック周期（Ｔｆ）を１ｓｅｃであるとする。
以下、図３、図４を参照しながら図５、図６に示すフローチャート、図７に示すタイミングチャートにより、本発明の実施例の高圧放電ランプ点灯装置の動作について説明する。
図３、図４に示すサンプリング手段３１により、予め設定されたサンプリング周期Ｔｓで電圧、電流をサンプリングし、電力演算部３２ａでサンプリングされた電圧、電流から電力を演算する（図５のステップＳ１，Ｓ２）。
平均電力演算部３２ｂは、上記サンプリングにより求めた電力値から平均電力を求める（図５のステップＳ３）。
【００２４】
なお、前述したようにカラーホイールの走査周期（１回転でＲ，Ｇ，Ｂ，Ｗが走査される場合は回転周期に相当し、以下回転周期ともいう）Ｔｃと上記サンプリング周期Ｔｓは異なっているので、電力検出が行われるセグメントは、何回かサンプリングする毎に、異なるセグメントの電力を検出されることになる。例えば、図７においては、サンプリング５０（５０回目のサンプリング）はカラーホイールの回転角信号（画像同期信号）に同期しているが、サンプリング周期Ｔｓと画像同期信号の周期は一致しないので、サンプリング１（１回目のサンプリング）はレッド（Ｒ）、サンプリング２はグリーン（Ｇ）の電力を検出しており、サンプリングする毎に、サンプリングするセグメントがずれていく。
この実施例においては、サンプリングをフィードバック周期Ｔｆ毎に５０回行なっており、５０回の電力検出により、全てのセグメントの電力検出を行なうことができる。
【００２５】
平均電力は例えば、図６のフローチャートに示すようにして求められる。ここでは、１５のサンプリング値から平均電力を演算する場合について説明する。
最初の１５個のデータがサンプリングされるまでは、図６（ａ）に示すように、電圧、電流から電力を演算し（ステップＴ１）、演算した電力を前回演算した電力（最初は０）に加算し、加算値を記憶部３３に記憶する（ステップＴ２，Ｔ３）。この処理をサンプル数が
１５になるまで繰り返し（ステップＴ４）、サンプル数が１５になったら、以下の式により平均電力演算部３２ｂで平均電力Ａｖ１を計算し、平均電力Ａｖ１を記憶部３３に記憶する（ステップＴ５，Ｔ６）。
平均電力Ａｖ１＝加算値（電力サンプル数１５個分）／１５
【００２６】
以上のようにして最初のサンプル数１５の電力の平均値Ａｖ１が求まったら、以降は図６（ｂ）の処理により平均電力Ａｖを求める。
サンプルされた電圧、電流から電力Ｐを演算し（ステップＴ７）、図６（ａ）で求め記憶部３３に記憶された平均電力Ａｖ１と、上記演算された電力のサンプル値Ｐにより、以下の式により、平均電力Ａｖを演算する。
平均電力Ａｖ＝（平均電力Ａｖ１×１４＋サンプル値Ｐ）／１５
上記平均電力Ａｖは記憶部３３に平均電力Ａｖ１として記憶され（図５のステップＳ４）、以降の処理では上記式に基づき、平均値が演算される。
【００２７】
平均電力が演算されたら、図５のステップＳ５に行き、点灯モード信号により設定される基準電力（基準平均電力）と上記演算された平均電力と比較する。
図４に示す記憶部３３には、各点灯モードに応じた基準となるランプの平均電力（以下、基準電力）が記憶されており、基準電力設定部３２ｃは、点灯モード信号に応じた基準電力を比較部３２ｄに出力し、比較部３２ｄは、基準電力と上記演算された平均電力を比較する。
上記比較部３２ｄの比較結果に応じて、電力制御部３２ｅは、平均ランプ電力が基準電力になるように、図７のＴｆ（例えば１秒）の周期でフィードバック制御する（図５のステップＳ６）。このようなフィードバック制御は、ランプ点灯中、繰り返し行なわれる。
【００２８】
本発明においては、上記のように、カラーホイールの回転周期とサンプリング周期とを一致させないことで、全てのセグメントの電力を検出し、全てのセグメントの電力の平均電力を求めてフィードバック制御しており、平均ランプ電力の値を、基準ランプ電力にほぼ一致するように制御することができる。
なお、カラーホイールの回転周期とサンプリング周期とを適切に選定することにより、
フィードバック制御するまでの間のサンプリング数を多くすることができ、平均ランプ電力の精度をより高くすることができる。
なお、理想的には、カラーホイールが１回転する間に、全てのセグメントの電力を検出できれば、平均ランプ電力を精度よく基準電力に一致させることができるが、前述のように、実際には、そのように高速に電力検出できるプロセッサは高価であり、実用上では、現実的でない。
上記では平均電力の演算の一例を示したが、例えば、検出したランプ電力を逐次記憶部３３に蓄えて行き、所定数のデータが記憶部に格納されたとき、その平均値を演算するなど、その他の方法で平均値を求めるようにしてもよい。
また、上記実施例では、ＤＭＤ（登録商標）を用いたプロジェクタ装置について説明したが、液晶パネル、ＬＣＯＳ（Ｌｉｑｕｉｄ  ｃｒｙｓｔａｌ  ｏｎ  ｓｉｌｉｃｏｎ）（登録商標）のいずれを用いたものにも、同様に適用可能であることは言うまでもない。
【符号の説明】
【００２９】
１        スクリーン
２      プロジェクションレンズ
３      ＤＭＤ（Digital  Micromirror  Device）（登録商標）
４        インテグレータレンズ
５        ライトトンネル
６        駆動モータ
７        カラーホイール
７ａ      カラーホイール位置検出センサ
１０    高圧放電ランプ
１１      発光部
１２ａ，１２ｂ  封止部
１３ａ，１３ｂ  電極
１４ａ，１４ｂ  リード棒
１５ａ，１５ｂ  封止用金属
２０      給電装置２０
２１      ドライバ
３０      給電装置制御部３０
３１      サンプリング手段
３２      処理部
３２ａ    電力演算部
３２ｂ    平均電力演算部
３２ｃ    基準電力設定部
３２ｄ    比較部
２２ｅ    電力制御部
３３      記憶部
４０      プロジェクタ制御装置
Ｕ１      降圧チョッパ回路
Ｕ２      フルブリッジ回路
Ｕ３      スタータ回路
Ｑｘ      スイッチング素子
Ｌｘ      リアクトル
Ｄｘ      ダイオード
Ｃｘ      平滑コンデンサ
Ｒｘ      電流検出用の抵抗
Ｖｘ      電圧検出用の抵抗の直列回路
Ｑ１〜Ｑ４スイッチング素子
Ｌｈ      コイル
Ｃｈ      コンデンサ
【図１】
0005333421.tif 000002
【図２】
0005333421.tif 000003
【図３】
0005333421.tif 000004
【図４】
0005333421.tif 000005
【図５】
0005333421.tif 000006
【図６】
0005333421.tif 000007
【図７】
0005333421.tif 000008